【事件の表示】
　平成１０年特許願第１１９７２１号「サービスクラス自動ルーティング」拒絶査定に対する審判事件［平成１０年１２月　４日出願公開、特開平１０−３２２４４９］について、次のとおり審決する。
【結　論】
　本件審判の請求は、成り立たない。
【理　由】
１．手続の経緯・本願発明
　本願は、平成１０年４月２８日の出願（パリ条約による優先権主張１９９７年５月６日、アメリカ合衆国）であって、その請求項１３に係る発明（以下、「本願発明」という。）は、平成１１年６月１５日付け手続補正により補正された明細書及び図面の記載からみて、その特許請求の範囲の請求項１３に記載された次の事項により特定されるとおりのものと認める。
　
「【請求項１３】　電気通信網に入力される特殊通話サービス呼および非特殊通話サービス呼のルーティングを行う方法であって、前記特殊通話サービス入力呼および非特殊通話サービス入力呼を受信する少なくとも１つの加入者線交換システムと、ルーティングトランクにより相互接続される複数の中継交換システムとを含む方法において、
　入力呼に対応するサービスクラス(COS)パラメータを加入者線交換システムに取得するステップと、
　取得したＣＯＳパラメータから前記入力呼が特殊通話サービスかまたは非特殊通話サービスかを決定するステップと、
　取得したＣＯＳパラメータから、呼が特殊通話サービス呼であると決定されると、加入者線交換システムにおいて、特殊通話サービス呼の処理を行うステップと、
　ＣＯＳパラメータに従い、特殊通話サービス呼と非特殊通話サービス呼に対する呼のルーティングを、前記加入者線交換システムにおいて設定するステップと、
　前記加入者線交換システムから、意図する宛先に前記非特殊通話サービス呼と特殊通話サービス呼のルーティングを行うステップと、
を含む方法。」
　
２．引用刊行物記載の発明
　これに対して、原査定の拒絶の理由に引用された、本願の優先権主張の日前である平成７年７月４日に頒布された特開平７−１７０３２７号公報（以下、「引用刊行物」という。）には、図面とともに次の事項が記載されている。
　
（１）「ほとんどのルーティング機能は、通常「通常旧式電話サービス」（ＰＯＴＳ）呼と呼ばれるものをルーティングするために最初に設計された。その後、顧客の競合する需要を満たすため、通信ネットワークは付加的サービスを提供し始めた。その中には、例えば、（ａ）データを転送するディジタルサービス、（ｂ）ネットワーク輻輳中もサービス呼が宛先にルーティングされることを高レベルの確率で保証する超低ブロッキングサービス、および（ｃ）周知の８００番および９００番サービスがある。
　　　【０００３】
　　【発明が解決しようとする課題】
　新たなサービスの導入には、通常、その新たなサービスに対応する電話呼がそれぞれの宛先に適切にルーティングされるように、基礎となるルーティング機能における変更が伴う。しかし、時間がたつと、それぞれのこのような変更によって、基礎となるネットワークルーティング機能は、管理するには複雑で扱いにくいものとなり、それによって、他の新たなサービスを含めるようにルーティング機能をさらに変更することが困難となる。
　　　【０００４】
　　【課題を解決するための手段】
　本発明によれば、このような各クラスのサービスに、このようなすべてのサービスに共通のいくつかのパラメータを割り当て、異なるクラスのサービスをそれぞれのパラメータ値によって区別することにより、通信交換技術が改良される。」（第３頁左欄第２９行〜同右欄第４行）
　
（２）「本発明の実施例では、図１の通信ネットワーク２００は、ユーザ（加入者、例えば電話機Ｓ１に付随する加入者）に複数の音声およびデータサービスを提供する電話ネットワーク（例えば、周知のＡＴ＆Ｔ公衆交換ネットワーク）である。ネットワーク２００は、なかでも、２０５、２１０、および２１５のような複数の集中局（ＴＳ）と、２３０のような国際交換センタ（ＩＳＣ）を含む。周知のように、ＩＳＣは、ネットワーク２００と、海外の交換センタ（例えば、英国の交換センタ）の間に通信（電話）接続を設置するために使用される。このような国際接続を図では通信パス２３６で表す。
　　　【０００６】
　集中局２０５、２１０および２１５ならびにＩＳＣ２３０は、例えば、ＡＴ＆Ｔから入手可能なＮｏ．４ＥＳＳ（電子交換システム）のような周知の型の交換機のうちの１つである。図から分かるように、集中局、例えばＴＳ２０５（２１０，２１５）は、局所交換キャリア（ＬＥＣ、例えばＬＥＣ１０５（１１０，１２０））によって提供されるいくつかのいわゆる中央局（ＣＯ）に接続される。
　　　【０００７】
　集中局（例えばＴＳ２１５）は、一般に顧客提供装置（ＣＰＥ）と呼ばれるもの（例えば、いわゆる構内交換設備（ＰＢＸ））に接続される。中央局および構内交換設備の動作は周知であるため説明しない。しかしながら、中央局またはＣＰＥは、特定の遠距離電話番号をダイヤルした発呼電話機（発呼者、例えばＳ５またはＳ６）から発信された電話呼を、付随するネットワーク２００集中局へ送信するように配置されると言えば十分である。中央局またはＣＰＥは、ＣＯまたはＣＰＥが付随する集中局から受信した呼を電話機（例えばＳ４、被呼者）に接続するようにも配置される。」（第３頁右欄第１４行〜同第４４行）
　
（３）「本発明によれば、ネットワーク２００によって処理される各電話呼は、個々のクラスのサービス（ＣＯＳ）に付随し、各サービスは、パラメータ群（例えば４個のパラメータ）によって定義される。４個のパラメータの各値は、付随するＣＯＳに与えられるルーティングおよび転送能力の型を定義する。
　　　【００１０】
　特に、個々のＣＯＳに付随するパラメータ群は、サービス識別情報（ＳＩ）、転送能力（ＴＣ）、ルーティングパターン識別情報（ＲＰＩ）および回路選択識別情報（ＣＳＩ）と呼ぶものからなる。ＳＩは、例えば長距離サービス（ＬＤＳ）、ソフトウェア定義ネットワーク（ＳＤＮ）サービス、８００番サービスなどの個々のサービス、または、集中局（例えばＴＳ２０５）から発信された入力呼に付随する呼特徴を識別する。この呼特徴は、例えば、後で詳細に説明するが、通常「優先度ルーティング」と呼ばれるものである。
　　　【００１１】
　本発明の実施例では、ＳＩは、各入力呼に対して、その呼に付随する情報に基づいて導出される。この情報は、（ａ）入力呼がＬＥＣまたはＣＰＥ（ＣＰＥはノーダルとも呼ばれる）のいずれから発信されたか、（ｂ）宛先点がＬＥＣ、ノーダルまたは国際交換センタ（例えばＩＳＣ２３０）のいずれか、（ｃ）シグナリングサービス型（例えば音声）、および（ｄ）ディジタルサービス型（例えば８００番サービスの特殊アクセスコード）、からなる。」（第４頁左欄第５行〜同第２９行）
　
（４）「上記のように、通信ネットワークルーティング機能は、時間とともに新たなサービスを備えるために変化する。このような変化は容易には実現されず、一般的には、新たなソフトウェアプログラムモジュールをルーティング機能に追加することおよび他のモジュールを変更することを伴い、それによって、ルーティング機能は時間とともに管理が複雑で扱いにくいものとなる。
　　　【００１７】
　本発明では、この問題を、各集中局に、それぞれ複数のフィールドからなる複数のレコードを有する第１のテーブルを備えることによって処理する。レコードのフィールドのうちの１つはそれぞれのＳＩ値を識別し、残りのフィールドは、ダイヤルされた番号または入力呼に対応するトランクの識別情報から導出される情報を識別する。」（第４頁右欄第３０行〜同第４３行）
　
（５）「図２は、発信集中局が、入力呼に付随する前記の情報（「発呼情報」）をＳＩ（サービス識別情報）値に変換するために使用するテーブル３００の例である。図から分かるように、フィールド３０１〜３０４は、とりわけ、入力呼に付随する各パラメータ（すなわち、前記の発呼情報）を定義し、これらは、合わせて、対応するレコードのフィールド３０５に示す各ＳＩ値を定義する。好都合なことに、入力電話呼に与えられるべきサービスの型を識別するために発信集中局（例えばＴＳ２０５（図１））がしなければならないことは、テーブル３００を参照することだけである。さらに、ネットワーク２００が新たなサービスを導入した場合、テーブル３００はそのサービスを含むように容易に更新される。」（第５頁左欄第１１行〜第２４行）
　
（６）「各ＳＩ及びＴＣ値の対によって定義される個々のサービスのクラスに対応する入力呼のルーティングは、以下で説明するように、対応するＲＰＩ値によって制御される。」（第６頁左欄第２行〜同第５行）
　
（７）「従って、発信集中局２０５は、図７によれば、宛先集中局２１５への呼を、その呼によって指定される転送能力を満たすことが可能なパス３０４トランクを介してルーティングすることになる。その際に、発信集中局は、中間集中局に、その呼に付随するＴＣおよびＳＩ値を送信する。そのトランクが使用可能でない場合、その呼がＬＬのブロッキング目標であれば、ＴＳ２０５は、その呼をブロックする。」（第６頁右欄第２８行〜同第３５行）
　
　引用刊行物のこれらの記載及び図面、並びに当該技術分野の技術常識を勘案すると、引用刊行物には、
「通信ネットワークが旧式電話サービスに加えて新たなサービスを導入する際のルーティング機能の変更を容易とするためのルーティング方法であって、
　トランクを介して相互接続される複数の集中局と、集中局に接続された複数の中央局等よりなる通信システムにおいて、
　中央局は、特定の遠距離電話番号をダイヤルした電話呼を集中局へ送信し、
　当該集中局において、当該電話呼に関する「ＣＯＳに付随するパラメータ群」を取得し、
　「ＣＯＳに付随するパラメータ群」は、サービス識別情報（ＳＩ）、転送能力（ＴＣ）及びルーティングパターン識別情報（ＲＰＩ）を含み、
　当該サービス識別情報（ＳＩ）は、当該電話呼が８００番サービス呼であるかどうか等を識別するものであり、
　当該電話呼に対応するルーティングパターン識別情報（ＲＰＩ）によって当該電話呼のルーティングが当該集中局において制御される方法」（以下、「引用発明」という。）、
が記載されていると認められる。
　
３．対比
　本願発明と引用発明を対比すると、
（ａ）引用発明における「通信システム」、「集中局」、「中央局」、「トランク」及び「電話呼」は、それぞれ本願発明の「電気通信網」、「中継交換システム」、「加入者線交換システム」、「ルーティングトランク」及び「入力呼」に相当する。
（ｂ）引用発明における「長距離サービス呼」、「８００番サービス呼」は、それぞれ本願発明の「非特殊通話サービス呼」、「特殊通話サービス呼」に包含される。
（ｃ）引用発明における「ＣＯＳに付随するパラメータ群」は、本願発明における「サービスクラス（COS）パラメータ」に相当する。
（ｄ）引用発明における「電話呼のルーティングが・・・制御される」ことは、ルートを決定して電話呼を転送することに他ならないから、本願発明にける「呼のルーティングを・・・設定するステップ」及び「意図する宛先に・・・ルーティングを行うステップ」に相当する。
（ｅ）更に、引用刊行物には、８００番サービス呼等の特殊な呼の処理やルーティングについて記載されていないが、引用発明は、
　イ．その目的が、「通常旧式電話サービス」に加えて、例えば８００番サービス等のサービスを新たに導入する際の集中局におけるルーティング機能変更の容易化にあること、
　ロ．集中局において、各電話呼に関して、８００番サービス呼であるかどうか等を識別する「サービス識別情報」を含む「ＣＯＳに付随するパラメータ」を取得し、当該パラメータに従ってルーティングを制御していること、
　ハ．８００番サービス呼等は、ルーティングに先立って宛先に接続するために必要な情報を入手するためのデータベース処理等の処理が必要であり、このような処理を集中局に送信された８００番サービス呼等について行う必要があること、
を勘案すると、引用発明は、８００番サービス呼等の特殊通話サービス呼も「特定の遠距離電話番号をダイヤルした電話呼」と共に中央局から集中局に送信され、集中局において特殊通話サービス呼かどうかが識別され、特殊通話サービス呼について必要な処理を行った後、呼のルーティングが制御されるものと認められる。
　
　したがって、両者は、
「電気通信網に入力される特殊通話サービス呼および非特殊通話サービス呼のルーティングを行う方法であって、
　前記特殊通話サービス入力呼および非特殊通話サービス入力呼を受信する少なくとも１つの加入者線交換システムと、ルーティングトランクにより相互接続される複数の中継交換システムとを含む方法において、
　入力呼に対応するサービスクラス(COS)パラメータを交換システムに取得するステップと、
　前記入力呼が特殊通話サービスかまたは非特殊通話サービスかを決定するステップと、
　呼が特殊通話サービス呼であると決定されると、交換システムにおいて、特殊通話サービス呼の処理を行うステップと、
　ＣＯＳパラメータに従い、特殊通話サービス呼と非特殊通話サービス呼に対する呼のルーティングを、前記交換システムにおいて設定するステップと、
　前記交換システムから、意図する宛先に前記非特殊通話サービス呼と特殊通話サービス呼のルーティングを行うステップと、を含む方法。」、
である点で一致し、以下の点で相違する。
　
　相違点（１）
　本願発明は、「サービスクラス（COS）パラメータ」の取得、「入力呼が特殊通話サービスかまたは非特殊通話サービスか」の決定、「特殊通話サービス呼の処理」、「特殊通話サービス呼と非特殊通話サービス呼に対する呼のルーティング」の設定及び実行を、本願発明は加入者線交換システムにおいて行うのに対し、引用発明は中継交換システムにおいて行う点。
　
  相違点（２）
　本願発明は、「取得したＣＯＳパラメータから前記入力呼が特殊通話サービスかまたは非特殊通話サービスかを決定する」のに対し、引用発明は、入力呼が特殊通話サービスかまたは非特殊通話サービスかをどのように決定するのか不明である点。
　
４．当審の判断
　上記相違点（１）、（２）について検討する。
　相違点（１）について
　加入者線交換システムに、特殊通話サービス呼の処理を行うとともに、特殊通話サービス呼と非特殊通話サービス呼のルーティングを設定し、実行する機能を持たせることは、例えば、特開平８−２５６２１３号公報の段落番号０００４〜００１４、特開平８−７９３７８号公報の段落番号０００２〜０００６、特開平６−８５９１５号公報の段落番号０００４等に記載されているように、当業者における周知技術である。
　したがって、引用発明において、「サービスクラス（COS）パラメータ」の取得、「入力呼が特殊通話サービスかまたは非特殊通話サービスか」の決定、「特殊通話サービス呼の処理」、「特殊通話サービス呼と非特殊通話サービス呼に対する呼のルーティング」の設定及び実行を、加入者線交換システムにおいて行うよう変更することは、上記周知技術に基づき当業者が容易に想到し得たものである。
　
　相違点（２）について
　引用発明における「ＣＯＳに付随するパラメータ」の１つである「サービス識別情報」は、電話呼が８００番サービス呼等の特殊通話サービス呼であるかどうかを識別する情報であるから、ＣＯＳパラメータを用いて入力呼が特殊通話サービスかまたは非特殊通話サービスかを決定することは、当業者が当然に採用する構成に過ぎない。
　
５．むすび
  したがって、本願発明は引用発明に基づいて当業者が容易に発明をすることができたものであるので、特許法第２９条第２項の規定により特許を受けることができない。
　よって、結論のとおり審決する。